(57)【要約】      （修正有）【課題】マウントおよび／または配線付きデバイスの装着と保守を容易にする。【解決手段】ベース１０と、端子２１が設けられた取り付け部２０と、第１ピボットと、第２ピボットとを有する偏心ヒンジとを備え、第２ピボットは、マウント面に平行な第１方向Ｘとマウント面に垂直な第２方向Ｚとによって画定される平面において、第１ピボット対して移動可能であり、取り付け部２０は、偏心ヒンジによって、ベース１０に着脱自在に結合可能であり、取り付け部２０は、ベース１０に結合されているとき、端子２１へのアクセスを提供する開位置と、閉位置との間で移動可能である。閉位置において第１ピボットと第２ピボットとの間の距離ｄは、第１方向Ｘの第１成分および第２方向Ｚの第２成分を有し、第１成分は第２成分より大きい。【選択図】図３ａ
2014225869.tif 000002
【特許請求の範囲】
【請求項１】
監視カメラ用マウントであって、
マウント面（４２）に取着されるべく配設されたベース（１０）と、
配線付きデバイスの監視カメラのための端子（２１）が設けられた取り付け部（２０）と、
前記ベース（１０）に取り付けられる第１ピボット（１５）と、第２ピボット（１６）とを有する偏心ヒンジ（１４）とを備え、
前記第２ピボット（１６）は、前記マウント面（４２）に平行な第１方向Ｘと前記マウント面（４２）に垂直な第２方向Ｚとによって画定される平面において、前記第１ピボット（１５）対して移動可能であり、
前記取り付け部（２０）は、前記偏心ヒンジ（１４）によって、前記取り付け部（２０）の前記ベース（１０）に対する相対運動により前記ベース（１０）に着脱自在に結合可能であり、
前記取り付け部（２０）は、前記ベース（１０）に結合されているとき、前記偏心ヒンジ（１４）を中心とする関節により、前記端子（２１）へのアクセスを提供する開位置と、前記端子（２１）が前記取り付け部（２０）と前記ベース（１０）とによって形成された密封空間内に位置し、かつ前記偏心ヒンジ（１４）が前記密封空間の外部に配置される閉位置との間で移動可能であり、
前記閉位置において前記第１ピボット（１５）と前記第２ピボット（１６）との間の距離（ｄ）は、前記第１方向Ｘの第１成分（ｄＸ）および前記第２方向Ｚの第２成分（ｄＺ）を有し、前記第１成分（ｄＸ）は前記第２成分（ｄＺ）より大きいマウント。
【請求項２】
前記第１ピボット（１５）は、前記ベース（１０）内部において、前記第１方向Ｘと前記第２方向Ｚとによって画定される平面における射影内に見られるように配設される、請求項１に記載のマウント。
【請求項３】
前記取り付け部（２０）は、前記開位置において前記ベース（１０）に近接する部分において前記ベース（１０）に着脱自在に結合可能である、請求項１または２に記載のマウント。
【請求項４】
前記偏心ヒンジ（１４）は、前記第２ピボット（１６）が、前記取り付け部（２０）の前記ベース（１０）への結合のための第１位置と前記取り付け部（２０）の前記閉位置のための第２位置との間で移動可能となるように配設される、請求項１から３のいずれか一項に記載のマウント。
【請求項５】
前記第２ピボット（１６）は、前記第１位置に向けて付勢される、請求項１から４のいずれか一項に記載のマウント。
【請求項６】
前記第２ピボット（１６）は、以下の、ばね、磁気要素、スナップ構造等の１つまたは組み合わせによって付勢される、請求項５に記載のマウント。
【請求項７】
前記閉位置において前記空間を密封するために配設された密封要素（３１）をさらに備える、請求項１から６のいずれか一項に記載のマウント。
【請求項８】
前記端子（２１）は、以下の、ネットワーク信号、電力制御、制御信号、監視信号、音声信号、画像信号、映像信号、データ信号、アラーム信号、およびオン／オフスイッチ制御の１つまたは組み合わせをハンドリングするための手段を備える、請求項１から７のいずれか一項に記載のマウント。
【請求項９】
前記ベース（１０）は、１つまたは複数の外部ケーブル（３０）に対し前記密封空間へのアクセスを提供するケーブル引込口（１３ａ、１３ｂ）をさらに備える、請求項１から８のいずれか一項に記載のマウント。
【請求項１０】
前記端子（２１）は、前記監視カメラおよび／または前記１つまたは複数の外部ケーブル（３０）を接続可能なコネクタ（２２）を備える、請求項９に記載のマウント。
【請求項１１】
前記密封空間が、前記外部ケーブル（３０）の１つまたは複数のケーブル部分の保管のための保管容積部分を画定する、請求項９または１０に記載のマウント。
【請求項１２】
前記監視カメラが、前記取り付け部（２０）の一部を形成する、請求項１から１１のいずれか一項に記載のマウント。
【請求項１３】
前記マウントが、前記方向Ｘが水平となるように取着されるべく適合されている、請求項１から１２のいずれか一項に記載のマウント。
【請求項１４】
監視カメラマウントを取着するための方法であって、
マウント面にベースを配設すること（６０１）と、
監視カメラのための端子が設けられた取り付け部を、偏心ヒンジを介して、前記取り付け部を前記ベースに対して動かすことにより前記ベースに着脱自在に結合すること（６０２）と、
前記端子へのアクセスを提供する開位置に前記取り付け部を配置すること（６０３）と、
前記端子に外部ケーブルを接続すること（６０４）と、
前記取り付け部を、前記偏心ヒンジを中心とする関節により、前記端子が前記取り付け部と前記ベースとによって形成された密封空間内に位置し、かつ前記偏心ヒンジが前記密封空間の外部に配置される閉位置に動かすこと（６０５）とを含む、方法。
【発明の詳細な説明】
【技術分野】
【０００１】
本発明はデバイスのマウントの分野に関し、特に、配線付きデバイスのマウントおよび前記マウントを取着するための方法に関する。
【背景技術】
【０００２】
異なる種類の配線付きデバイスのための各種マウントが存在している。配線付きデバイスの取着を容易にすることに加えて、マウントは一般的にはデバイスの保護用筐体も提供する。室内外の用途や、壁や天井等の異なる取着位置に適合されたマウントが存在する。
【０００３】
配線付きデバイス用マウントの１つのタイプは、ベースとカバーとを備える。カバーは、閉鎖空間が形成され、配線付きデバイスの全体またはその部分がその保護用閉鎖空間に配置されるように配設することができる。カバーを取り除くことによって、その空間にアクセスできるようになり、これは配線付きデバイスの装着または保守の作業中に都合がよい。
【０００４】
監視カメラのようないくつかの種類の配線付きデバイス用のマウントは、一般的に、地上から何メートルもの高さの建物の壁等のアクセスの困難な場所に装着される。マウントへのおよび配線付きデバイスへのアクセスには、一般的には、装着または保守作業員が作業を行うに際して、はしご等の上に立つ必要がある。このような配置により、作業はより困難なものとなる。例えば、マウントベースを壁に固定する間、または装着中に配線または電気デバイスを配線付きデバイスに接続する間にベースからカバーが外れた場合には、作業者がそのカバーを押さえておくことが困難になることがある。
【０００５】
この問題に対する解決の１つは、カバーをヒンジによってベースに取り付けることである。ヒンジにより、カバーを、作業者がカバーを押さえておく必要なしに空間（一般的にはベースの内部）へのアクセスが提供される開位置に配置することが可能となる。しかし、この解決方法ではベースの取着がやりにくくなることがある。ベースとそれに取り付けられたカバーは非常に重くなり得るからである。また、ヒンジによりカバーの動きが制限されることにもなりかねない。これは、保護された環境を提供するためにマウント内部の空間を密封する必要があるときに問題となる。良好な密封はベースに対するカバーの正確な配置によって容易になるが、これはカバーの配置可能性が制限されることによって妨げられることがある。同じ理由のため、例えば、ねじによってカバーをマウントに固定することも、カバーとベースのねじ孔を注意深く合わせる必要があり、同様に困難になることがある。
【０００６】
上述の議論から、改善されたマウントのニーズが存在することは明らかである。
【発明の概要】
【発明が解決しようとする課題】
【０００７】
本発明の目的は、配線付きデバイス用の改善されたマウントを提供することと、そのマウントおよび／または配線付きデバイスの装着と保守を容易にすることである。
【課題を解決するための手段】
【０００８】
本発明の第１の態様により、配線付きデバイス用マウントによって上記のおよび他の目的が達成される。前記マウントは、マウント面に取着されるべく配設されたベースと；配線付きデバイスのための端子が設けられた取り付け部と；前記ベースに取り付けられる第１ピボットと、第２ピボットとを有する偏心ヒンジとを備える。前記第２ピボットは、前記マウント面に平行な第１方向Ｘと前記マウント面に垂直な第２方向Ｚとによって画定される平面において、前記第１ピボットに対して移動可能である。前記取り付け部は、前記偏心ヒンジによって、前記取り付け部の前記ベースに対する相対運動により前記ベースに着脱自在に結合可能である。前記取り付け部は、前記ベースに結合されているとき、前記偏心ヒンジを中心とする関節により、前記端子へのアクセスを提供する開位置と、前記端子が前記取り付け部と前記ベースとによって形成された密封空間内に位置し、かつ前記偏心ヒンジが前記密封空間の外部に配置される閉位置との間で移動可能である。前記閉位置において前記第１ピボットと前記第２ピボットとの間の距離は、前記第１方向Ｘの第１成分および前記第２方向Ｚの第２成分を有し、前記第１成分は前記第２成分より大きい。
【０００９】
前記取り付け部は、カバー機能と、そのなかの前記端子へのアクセスの両方を提供する。前記端子は、取り付け部が前記開位置に配置されるとき、その端子の少なくとも外側部分にアクセス可能であるように配設される。前記外側部分は、前記端子の内部の部分へのコネクタを含んでいてもよい。前記閉位置では、前記端子の外側部分は密封空間に面し、したがってアクセス不可能である。
【００１０】
本発明の利点は、複数のピボット、即ち少なくとも２つのピボットを備える前記偏心ヒンジにより、前記取り付け部の複数の方向への移動が可能となることである。したがって、複数ピボットのヒンジを備えた前記取り付け部は、単ピボットのヒンジと比較して前記ベースに対してより自由に動くことができる。前記取り付け部が前記開位置にあるとき、前記取り付け部は前記第２ピボットを中心とした関節を有するものとなり得る。したがって作業者は、その作業位置により適合するように前記取り付け部を調節することができる。
【００１１】
別の利点は、前記取り付け部が、前記第２ピボットによって、前記マウント面に垂直な方向Ｚに移動可能であることである。したがって、前記取り付け部は、前記取り付け部を前記ベースに向けて動かすことによって前記閉位置に配置することができる。したがって、前記取り付け部と前記ベースとの間の改善された密封を達成することができる。その密封は、密封要素によってさらに強化することができる。前記密封要素は、前記ベース上または前記取り付け部上に配設された密封リムであってもよい。前記閉位置においては、前記密封要素は前記取り付け部と前記ベースとの間に配置される。
【００１２】
本発明の別の利点は、前記取り付け部が前記閉位置にまたは前記閉位置の近くに位置しているとき前記マウント面に平行な前記第１方向Ｘに沿った移動が小さくなるように、前記偏心ヒンジが配置されることである。前記第１方向Ｘの前記第１ピボットと前記第２ピボットとの間の距離の前記第１成分が、前記第２方向Ｚにおける対応する前記第２成分より大きいので、前記取り付け部のあらゆる動きが、主として前記第２方向Ｚ、すなわち前記マウント面に垂直な方向に行われる。したがって、前記取り付け部が前記マウント面に平行な前記第１方向Ｘに動く傾向が小さくなるので、前記取り付け部の前記マウントベースまたは前記マウント面への取り付けが容易になり得る。
【００１３】
本発明の別の利点は、前記端子が前記取り付け部に配置されていること、そして前記取り付け部が前記ベースに着脱自在に結合されることである。したがって、前記マウントおよび前記配線付きデバイスの装着は、２つのステップ、即ち、前記ベースが、例えば建物の壁である前記マウント面に取り付けられ、および前記マウントへの必要な配線が行われる第１ステップと、前記端子を含む前記取り付け部が前記ベースに取り付けられ、特定の配線付きデバイスの装着と構成設定が行われる第２ステップとで行われる。これらのステップは、時間的に別々に、かつ別の人間によって行うことができる。第１のより一般的なステップは、電気技師によって行われてよく、第２のより特殊なステップは、専門家によって行われてよい。一方のステップの知識は他方のステップを行うためには必要ではないので、１名の装着作業者が両方のステップを行う知識を必要とする場合より、適任の装着作業者のグループがより大きくなる。
【００１４】
前記第１ピボットは、前記ベース内部において、前記第１方向Ｘと前記第２方向Ｚとによって画定される平面における射影内に見られるように配設されてもよい。つまり、前記第１ピボットは前記ベースの上または下に配設される。したがって、前記第１ピボットは前記ベースの横方向延長部に影響を与えることはない。
【００１５】
前記取り付け部は、前記開位置において前記ベースに近接する部分において前記ベースに着脱自在に結合可能であってよい。したがって、前記偏心ヒンジが、前記取り付け部の前記端子へのアクセスを制限しなくなる。
【００１６】
前記偏心ヒンジは、前記第２ピボットが、前記取り付け部の前記ベースへの結合のための第１位置と前記取り付け部の前記閉位置のための第２位置との間で移動可能となるように配設されてよい。前記第２ピボットは、前記第１位置に向けて付勢されてよい。したがって、前記第２ピボットが、前記取り付け部を前記ベースに取り付けるのが容易な位置に向かって動き、その位置に留まる傾向をもつことになる。この特徴により、前記取り付け部を前記ベースに結合するステップが容易に行えるものとなる。
【００１７】
前記第２ピボットは、以下の、ばね、磁気要素、スナップ機構等の１つまたは組み合わせによって付勢されてよい。
【００１８】
前記端子は、前記配線付きデバイスと、ネットワークステーションまたはサーバ等の外部デバイスとの間の中間デバイスとして機能する。前記端子は、前記配線付きデバイスの一体的な部分でもよく、または別体のデバイスを形成してもよい。前記端子は、以下の、ネットワーク信号、電力制御、制御信号、監視信号、音声信号、画像信号、映像信号、データ信号、アラーム信号、およびオン／オフスイッチ制御の１つまたは組み合わせをハンドリングするための手段を備えていてもよい。
【００１９】
前記ベースは、１つまたは複数の外部ケーブルに対し前記密封空間へのアクセスを提供するケーブル引込口を備えていてもよい。前記端子は、前記配線付きデバイスおよび／または前記１つまたは複数の外部ケーブルを接続可能なコネクタを備えていてもよい。
【００２０】
前記密封空間が、前記外部ケーブルの１つまたは複数のケーブル部分の保管のための保管容積部分を画定してもよい。したがって、前記ケーブル部分は保護され、かつ前記マウントの外部のどの空間をも占めることがなくなる。このことの利点は、前記外部ケーブルが、前記取り付け部を前記閉位置に向けて動かすときの妨げにならなくなることである。
【００２１】
前記配線付きデバイスには、監視カメラなどのカメラが含まれ得る。前記配線付きデバイスは、前記取り付け部の一部を形成してもよい。
【００２２】
前記マウントが、前記方向Ｘが水平となるように取着されるべく適合されていてもよい。それにより、前記第２ピボットの動きが、重力によって影響を受けなくなる。したがって、前記取り付け部が配設される前記第２ピボットは、その位置が重力に影響をうけることなくあらゆる位置に配置することが可能となる。
【００２３】
本発明の第２の態様によれば、配線付きデバイス用マウントを取着する方法によって上記のおよび他の目的が達成される。前記方法は、マウント面にベースを配設することと；配線付きデバイスのための端子が設けられた取り付け部を、偏心ヒンジを介して、前記取り付け部を前記ベースに対して動かすことにより前記ベースに着脱自在に結合することと；前記端子へのアクセスを提供する開位置に前記取り付け部を配置することと；前記端子に外部ケーブルを接続することと；前記取り付け部を、前記偏心ヒンジを中心とする関節により、前記端子が前記取り付け部と前記ベースとによって形成された密封空間内に位置し、かつ前記偏心ヒンジが前記密封空間の外部に配置される閉位置に動かすことと、を含む。
【００２４】
前記第１の態様の特徴と利点は、適合する場合は、この第２の態様にも適用することができる。過度の反復を避けるために、上記の内容を参照する。
【００２５】
本発明の上記のおよび他の態様は、本発明の実施形態を示す添付の図面を参照しつつ、以下詳細に説明する。
【図面の簡単な説明】
【００２６】
【図１】ベースと偏心ヒンジとを示す図である。
【図２】端子を備えた取り付け部を示す図である。
【図３ａ】取り付け部の開位置から閉位置への動きを示す側面図である。
【図３ｂ】取り付け部の開位置から閉位置への動きを示す側面図である。
【図３ｃ】取り付け部の開位置から閉位置への動きを示す側面図である。
【図４ａ】取り付け部の開位置から閉位置への動きを示す上面図である。
【図４ｂ】取り付け部の開位置から閉位置への動きを示す上面図である。
【図４ｃ】取り付け部の開位置から閉位置への動きを示す上面図である。
【図４ｄ】取り付け部の開位置から閉位置への動きを示す上面図である。
【図４ｅ】取り付け部の開位置から閉位置への動きを示す上面図である。
【図５】偏心ヒンジの第１ピボットおよび第２ピボットの配置を示す図である。
【図６】本発明によるマウントを取着するための方法を示す図である。
【発明を実施するための形態】
【００２７】
以下、本発明の現時点での好ましい実施形態を示す添付の図面を参照して、本発明をより完全に説明する。しかし、本発明は多くの別の形態で実施してもよく、本明細書に記載の実施形態に限定されるものと解すべきではない。
【００２８】
本発明の一実施形態による配線付きデバイス用マウントのベース１０を、図１に示す。ベース１０は、底部プレート１１と、底部プレート１１から延び出す側部表面１２とを備える。ベース１０は、ねじ等の適当な固定手段によってマウント面に取着されるように配設される。この実施形態では、ベース１０に、ベース１０の取着のためのねじ孔１８が設けられる。ねじ孔１９も、取り付け部をベース１０に取着するために設けられる。
【００２９】
マウント面は、壁等の概ね垂直な平面であり得る。あるいは、マウント面は、マウントプレート、またはマウント構造であってもよく、マウント構造は、柱やランプポスト等の平坦でない表面によってさらに支持され得る。
【００３０】
一代替的実施形態では、ベース１０の底部プレート１１が、マウントから除去されてもよい。その場合、底部プレート１１の代わりとなる壁部表面等のマウント面に、ベース１０を取着することができる。
【００３１】
図１に示す実施形態に戻ると、ベース１０は、ベースプレート１１に配設された第１ケーブル引込口１３ａ、および側部表面１２に配設された第２ケーブル引込口１３ｂを備える。ケーブル引込口は、１つまたは複数の外部ケーブルのベース１０の内部へのアクセスを提供する。引込口カバー（図示せず）は、特定のケーブル引込口が使用されていないとき、ケーブル引込口それぞれに取り付けることができる。
【００３２】
マウントは、偏心ヒンジ１４をさらに備える。偏心ヒンジ１４は、第１ピボット１５および第２ピボット１６を備える。第１ピボット１５は、ベース１０の側部表面１２に取り付けられる。図示された実施形態では、第１ピボット１５はベース１０の下面に取り付けられる。第１ピボット１５と第２ピボット１６とは、アーム１７を介して相互に結合される。
【００３３】
ベース１０に結合されるべく配設された取り付け部２０を端子側からみたところが、図２に示されている。取り付け部２０は、端子２１を備える。
【００３４】
端子２１は、配線付きデバイスと、ネットワークステーションまたはサーバ等の外部デバイスとの間の中間デバイスとして機能する。ここでは端子２１は、別体のデバイスであるが、他の実施形態では、配線付きデバイスの一体的な部分でもよい。端子２１は、配線付きデバイスの異なる機能および信号をハンドリングするための手段を備える。そのような手段の非限定的な例としては、ネットワーク信号をハンドリングするためのネットワークカード、電力制御および／またはオン／オフ切り換えをハンドリングするための電力スイッチ、画像および／または映像信号をハンドリングするための画像および／または映像プロセッサ、および各種データ信号をハンドリングするためのＣＰＵが挙げられる。端子２１は、配線付きデバイスを制御するための手段と、配線付きデバイスに向けてまたはそこから送信される信号およびデータをハンドリングするための手段の両方を備えていてよい。
【００３５】
端子２１は、配線付きデバイスと、１つまたは複数の外部デバイスの両方に接続されるべく適合される。この実施形態では、配線付きデバイスは監視カメラ２６である。監視カメラ２６は、取り付け部２０の延長部２５に配設される。
【００３６】
端子２１は、内部ケーブルを介して監視カメラ２６に、外部ケーブルによって外部デバイスに接続される。内部ケーブルは、取り付け部２０の内部に配設される。前述のように、別形態として端子２１と配線付きデバイスとが単一のデバイスを形成してもよい。その場合、内部ケーブルはその単一のデバイスに配設される。
【００３７】
外部ケーブルは、ベース１０の１つまたは複数のケーブル引込口１３ａ、１３ｂを通して設けられる。外部配線は、端子２１上に配置されたコネクタ２２によって端子２１に接続することができる。コネクタ２２は、端子２１の外側部に配設される。
【００３８】
ケーブル引込口には、密封された外部ケーブルの通路を提供するグロメット（図示せず）が設けられてもよい。
【００３９】
異なる機能と信号をハンドリングする手段が、端子２１の内部に配設される。異なる種類の信号と機能がハンドリングされるので、ネットワークコネクタ、電力コネクタ、画像データコネクタ等の異なる種類のコネクタ２２が設けられる。
【００４０】
取り付け部２０は、ピボットピン２３をさらに備える。ピボットピン２３によって、取り付け部２０は、偏心ヒンジ１４を介してベース１０に着脱自在に結合可能となる。ピボットピン２３は、取り付け部２０のベース１０に対する相対運動により、すなわち取り付け部２０をピボットピン２３によって第２ピボット１６に掛けることにより、第２ピボット１６に結合可能である。あるいは、ピボットピン２３がアーム１７によって支持されてもよい。
【００４１】
ベース１０に取り付けられたときの取り付け部２０の動きについて、以下、図３ａから図３ｃを参照して開示する。この動きは、マウントと配線付きデバイスの装着作業中の使用のため、および例えばベースの内部へのアクセスが必要な保守作業中の使用のために提供される。
【００４２】
取り付け部２０は、上記の取り付け部２０のベース１０に対する相対運動によってベース１０に結合され、図３ａにおいては開位置に配置されている。その開位置においては、マウントの前に位置する作業者、すなわちベース１０とマウント面に対面している作業者が端子２１の少なくとも一部にアクセス可能である。取り付け部２０は、開位置において、第２ピボット１６を中心とした関節を有するものとなり、作業者に対するその位置を微調整することが可能となる。
【００４３】
偏心ヒンジ１４は、取り付け部２０の結合のための位置、すなわち図３ａに示す第２ピボット１６の位置に向けて第２ピボット１６が付勢されるように配設される。したがって、第２ピボット１６が、この位置に向かって動き、かつその位置に留まる傾向をもつことになる。この特徴は、取り付け部２０のベース１０に対する相対運動により、すなわち取り付け部２０を第２ピボット１６上に配置することにより取り付け部２０をベース１０に結合するステップを容易化する。
【００４４】
第２ピボット１６は、ばね、磁気要素、スナップ機構等によって付勢されてもよい。
【００４５】
開位置において、端子２１の外側部に位置するコネクタ２２は、作業者がアクセス可能である。したがって、ケーブル引込口１３ａを通して、外部ケーブル３０を、異なるコネクタ２２に容易に接続することができる。一代替的実施形態では、外部ケーブル３０を、図１に示すようにケーブル引込口１３ｂを通して設けることができる。
【００４６】
ピボットピン２３は、ベース１０に対する取り付け部２０の近接部分に配設される。したがって、ピボットピン２３も偏心ヒンジ１４のアーム１７も、端子２１へのアクセスを制限することはない。
【００４７】
第２ピボット１６によって、第２ピボット１６を中心とする関節により、取り付け部２０は閉位置に移動可能となる。
【００４８】
図３ｂは、図３ａの開位置と、図３ｃに示す閉位置との間の中間位置を示す上面図である。
【００４９】
このとき、端子２１は、作業者にはアクセスできない。図３ｂに示すように、取り付け部２０が、ベース１０と実際上位置が合っているときは、取り付け部２０はベース１０のカバーを形成する。この位置では、ベース１０と取り付け部２０とによって閉鎖空間が形成される。この位置において、端子２１は閉鎖空間側を向いており、したがって保護されている。ケーブル引込口１３ａとコネクタ２２との間に位置する外部ケーブルの部分を、閉鎖空間に画定された容積部分に保管することができる。
【００５０】
端子２１と閉鎖空間の内部の最適な保護を達成するために、その閉鎖空間を密封することが望ましい。したがって、取り付け部２０は、偏心ヒンジ１４によって、ベース１０に向けて移動することができ、閉位置と称する位置にくるように配設されている。ベース１０の後側からの斜視図である図３ｃでは、取り付け部２０が閉位置に配置されている。
【００５１】
取り付け部２０のベース１０に向けての移動は、第２ピボット１６が第１ピボット１５に対して移動可能であることにより可能となる。図３ａに示すように、ベースの側部表面１２の上端に配設された密封リム３１によって密封が向上する。あるいは、密封リム３１が、取り付け部２０の縁部の周りに延在してもよい。
【００５２】
本発明の偏心ヒンジ１４の配置と機能について、以下、概略図４ａから４ｅを参照してより詳細に開示する。これらの図は、図１から図３ｃに示すマウントの上側からみた図である。図４ａから４ｅは、取り付け部２０の開位置から閉位置への動きを示す。
【００５３】
図４ａでは、取り付け部２０が開位置に配置され、それによってそのなかの端子２１へのアクセスが提供されている。ベース１０は、この実施形態では、マウントプレート４２の形態でのマウント面に取り付けられる。マウントプレート４２はさらに、壁部４１上に配置される。
【００５４】
偏心ヒンジ１４は、ベース１０の下面、すなわちこの上からみた図におけるベース１０の側部表面１２の遠位側に設けられる。偏心ヒンジ１４は、第１方向Ｘと第２方向Ｚによって画定される平面に配設される。第１方向Ｘはマウント面に平行であり、第２方向Ｚはマウント面に垂直である。したがって第２ピボット１６は、第１方向Ｘと第２方向Ｚによって画定される平面において第１ピボット１５に対して移動可能である。
【００５５】
取り付け部２０は、開位置から、閉じる動きと密封する動きの組み合わせによって閉位置に移動する。この実施形態では、取り付け部２０は初めに閉じる動きで動かされ、その後、主として第２方向Ｚに向けられた密封する動きで動かされる。閉じる動きは、第２ピボット１６を中心とした取り付け部２０の関節によって行われる。密封する動きは、第１ピボット１５を中心とする取り付け部２０および第２ピボット１６の関節によって行われる。
【００５６】
図４ｂでは、取り付け部２０は、閉じる動きの一部が行われた状態にある。
【００５７】
図４ｃでは、取り付け部２０の閉じる動き全部が行われ、ここではベース１０の前面においてベース１０と位置を合わせた状態にある。この位置では、ベース１０と取り付け部２０とによって閉鎖空間が形成される。その空間の密封のため、ここで取り付け部２０は、ベース１０に向けて密封する動きを行うことになる。
【００５８】
図４ｄでは、取り付け部２０が、密封する動きの一部を行った状態にある。図４ｅでは、密封する動きが完全に行われた状態にある。取り付け部２０は、このとき閉位置に配置される。
【００５９】
第１ピボット１５と第２ピボット１６との間の距離ｄ、すなわち、この場合では、第１方向Ｘおよび第２方向Ｚからみた開位置におけるアーム１７の長さが、図５に示されている。距離ｄは、第１方向Ｘの第１成分ｄＸと、第２方向Ｚの第２成分ｄＺを有する。
【００６０】
偏心ヒンジ１４は、成分ｄＸが成分ｄＺより大きくなるように配置されているので、取り付け部２０の密封する動きは、概ね第２方向Ｚに沿って、すなわちベース１０およびマウント面に向けて行われる。さらに、閉位置にあるときの取り付け部２０のあらゆる動きは、概ね第２方向Ｚに沿って行われることになる。
【００６１】
密封する動きは、当然ながら、第１ピボット１５を中心とする関節運動であるが、その動きは、第２方向Ｚの動きが最大化され、かつ第１方向Ｘの動きが最小化される関節の旋回軌道の一部に沿って行われる。したがって、取り付け部２０のベース１０に向けての動きを主としてベース１０に向かう第２方向Ｚに向けることを達成するために、第１ピボット１５は第２ピボット１６に対して特定の方式で配置される。
【００６２】
偏心ヒンジ１４の配置も、取り付け部２０が閉位置または閉位置に近い位置にある場合の、取り付け部２０の第１方向Ｘの動きが第２方向Ｚの動きより小さくなる状態をもたらす。この特徴は、取り付け部２０を例えばベース１０またはマウント面に固定するのを楽にする。図２に見ることができるように、ねじ孔２４は、取り付け部２０のベースのねじ孔１９を介したベース１０への固定のために設けられる。ねじ孔２４は、マウントおよびマウントプレート４２に対面する位置にいる作業者による容易なアクセスを提供するために、第２方向Ｚに配設される。作業者は、取り付け部２０を横方向に、すなわち第１方向Ｘに実質的に動かすことをせずに、例えばねじを第２方向Ｚに沿って配設することによって取り付け部２０を容易に固定することができる。
【００６３】
この実施形態では、第１ピボット１５は、第２方向Ｚについて、密封する動きにおける第２ピボット１６の開始位置と最終位置との間に配置される。第１ピボット１５のこの配置により、密封する動きの間における取り付け部２０の第１方向Ｘの動きと第２方向Ｚの動きとの間の最適な関係が得られる。
【００６４】
この実施形態では、第１ピボット１５が、ケーブル引込口１３ａの第２ピボット１６と同じ側に配置される。よって、偏心ヒンジ１４のアーム１７は、ケーブル引込口１３ａに配置されたあらゆる外部ケーブルの邪魔にならない。しかし、この方式で配置されたケーブル引込口を使用しない実施形態では、取り付け部２０の密封する動きのための第１方向Ｘおよび第２方向Ｙの成分の間のより良い比率を得るため、第１ピボットは、第２ピボットからより離れた位置に配置されてもよい。
【００６５】
この実施形態では、方向Ｘが水平に配置され、すなわち垂直方向に延びる部分を有していない。それにより、第２ピボット１６の動きは、重力に影響を受けないことになる。したがって、取り付け部２０が配設される第２ピボット２０は、その位置が重力に影響を受けることなくあらゆる位置に配置することができる。
【００６６】
閉じる動きおよび密封する動きは、順番に実行される必要はないことは、当業者には理解されよう。よって、これらの動きは、同時並行で行っても、交互に行っても、偏心ヒンジ１４によって許容される任意の順番で行ってもよい。
【００６７】
図６は、上述したマウントを取着するための方法を示す。
【００６８】
第１ステップ６０１において、マウント面にベース１０を取着する。
【００６９】
第２ステップ６０２において、端子２１が設けられた取り付け部２０を、偏心ヒンジ１４を介して、取り付け部２０をベース１０に対して動かすことによりベース１０に着脱自在に結合する。
【００７０】
第３ステップ６０３において、端子２１へのアクセスを提供する開位置に取り付け部２０を配置する。
【００７１】
第２ステップ６０２と第３ステップ６０３は、１つのステップとして行ってもよい。
【００７２】
第４ステップ６０４において、外部ケーブルを端子２１に接続する。
【００７３】
第５ステップ６０５において、取り付け部２０を、偏心ヒンジを中心とする関節により、端子２１が取り付け部２０とベース１０とによって形成された密封空間内に位置する閉位置に動かす。偏心ヒンジ１４は密封空間の外部に配置される。このステップは、上述の２つの動き、すなわち閉じる動きと密封する動きの組み合わせを含む。
【００７４】
この方法は、異なる作業者たちによって行われてもよい。ベース１０を取着するステップ６０１は、一般的な装着作業者によって行われてよい。このステップは、外部ケーブルをベース１０の１つまたは複数のケーブル引込口を通して配設することを含んでいてもよい。
【００７５】
後続の取り付け部２０を結合するステップ６０２および配置するステップ６０３、外部ケーブルを接続するステップ６０４および取り付け部２０を閉位置に動かすステップ６０５は、対象となる配線付きデバイスの種類を専門とする作業者によって行われるのが好ましい。例えば、配線付きデバイスが監視カメラである場合、ベース１０に関する初めのステップは、電気技師によって行われてよく、取り付け部２０に関する後のステップは、カメラの装着または対象となる特定のタイプのカメラを専門とする作業者によって行われてよい。後のステップの知識は、初めのステップを行うためには不要であり、逆もまた真であるので，適任である装着作業者の数は、その装着作業者が全ての装着作業ステップを行う必要がある場合より多くなる。また、初めのステップと後のステップは、異なる時点で行われてもよい。したがって、装着物の形成と装着の実行をどのように行うかの自由度が高められ、それにより装着作業手順が単純化される。
【００７６】
本発明は上述の好ましい実施形態に限定されるものでないことを当業者は理解されよう。むしろ、各請求項の範囲内で多くの変更や改変が可能である。例えば、配線付きデバイスは、拡声器、マイクロホン、光源、ディスプレイ、ビデオプロジェクタ、家庭用電気器具、コンピュータ、自動販売機、切符販売機またはその組合せでもよい。
【符号の説明】
【００７７】
１０  ベース
１１  底部プレート
１２  側部表面
１３ａ  第１ケーブル引込口
１３ｂ  第２ケーブル引込口
１４  偏心ヒンジ
１５  第１ピボット
１６  第２ピボット
１７  アーム
１８  ねじ孔
１９  ねじ孔
２０  取り付け部
２１  端子
２２  コネクタ
２３  ピボットピン
２４  ねじ孔
２５  延長部
２６  監視カメラ
３０  外部ケーブル
３１  密封リム
４１  壁部
４２  マウント面
６０１  第１ステップ
６０２  第２ステップ
６０３  第３ステップ
６０４  第４ステップ
６０５  第５ステップ
【図１】
2014225869.tif 000003
【図２】
2014225869.tif 000004
【図３ａ】
2014225869.tif 000005
【図３ｂ】
2014225869.tif 000006
【図３ｃ】
2014225869.tif 000007
【図４ａ】
2014225869.tif 000008
【図４ｂ】
2014225869.tif 000009
【図４ｃ】
2014225869.tif 000010
【図４ｄ】
2014225869.tif 000011
【図４ｅ】
2014225869.tif 000012
【図５】
2014225869.tif 000013
【図６】
2014225869.tif 000014
【手続補正書】
【提出日】平成26年7月2日(2014.7.2)
【手続補正１】
【補正対象書類名】特許請求の範囲
【補正対象項目名】全文
【補正方法】変更
【補正の内容】
【特許請求の範囲】
【請求項１】
監視カメラ用マウントであって、
マウント面（４２）に取着されるべく配設されたベース（１０）と、
監視カメラのための端子（２１）が設けられた取り付け部（２０）と、
前記ベース（１０）に取り付けられる第１ピボット（１５）と、第２ピボット（１６）とを有する偏心ヒンジ（１４）とを備え、
前記第２ピボット（１６）は、前記マウント面（４２）に平行な第１方向Ｘと前記マウント面（４２）に垂直な第２方向Ｚとによって画定される平面において、前記第１ピボット（１５）に対して移動可能であり、
前記取り付け部（２０）は、前記偏心ヒンジ（１４）によって、前記取り付け部（２０）の前記ベース（１０）に対する相対運動により前記ベース（１０）に着脱自在に結合可能であり、
前記取り付け部（２０）は、前記ベース（１０）に結合されているとき、前記偏心ヒンジ（１４）を中心とする関節により、前記端子（２１）へのアクセスを提供する開位置と、前記端子（２１）が前記取り付け部（２０）と前記ベース（１０）とによって形成された密封空間内に位置し、かつ前記偏心ヒンジ（１４）が前記密封空間の外部に配置される閉位置との間で移動可能であり、
前記閉位置において前記第１ピボット（１５）と前記第２ピボット（１６）との間の距離（ｄ）は、前記第１方向Ｘの第１成分（ｄＸ）および前記第２方向Ｚの第２成分（ｄＺ）を有し、前記第１成分（ｄＸ）は前記第２成分（ｄＺ）より大きいマウント。
【請求項２】
前記第１ピボット（１５）は、前記第１方向Ｘと前記第２方向Ｚとによって画定される平面の投影図に見られるように前記ベース（１０）内に配設される、請求項１に記載のマウント。
【請求項３】
前記取り付け部（２０）は、前記開位置において前記ベース（１０）に近接する部分において前記ベース（１０）に着脱自在に結合可能である、請求項１または２に記載のマウント。
【請求項４】
前記偏心ヒンジ（１４）は、前記第２ピボット（１６）が、前記取り付け部（２０）の前記ベース（１０）への結合のための第１位置と前記取り付け部（２０）の前記閉位置のための第２位置との間で移動可能となるように配設される、請求項１から３のいずれか一項に記載のマウント。
【請求項５】
前記第２ピボット（１６）は、前記第１位置に向けて付勢される、請求項１から４のいずれか一項に記載のマウント。
【請求項６】
前記第２ピボット（１６）は、ばね、磁気要素、スナップ構造等の１つまたは組み合わせによって付勢される、請求項５に記載のマウント。
【請求項７】
前記閉位置において前記空間を密封するために配設された密封要素（３１）をさらに備える、請求項１から６のいずれか一項に記載のマウント。
【請求項８】
前記端子（２１）は、ネットワーク信号、電力制御、制御信号、監視信号、音声信号、画像信号、映像信号、データ信号、アラーム信号、およびオン／オフスイッチ制御の１つまたは組み合わせをハンドリングするための手段を備える、請求項１から７のいずれか一項に記載のマウント。
【請求項９】
前記ベース（１０）は、１つまたは複数の外部ケーブル（３０）に対し前記密封空間へのアクセスを提供するケーブル引込口（１３ａ、１３ｂ）をさらに備える、請求項１から８のいずれか一項に記載のマウント。
【請求項１０】
前記端子（２１）は、前記監視カメラおよび／または前記１つまたは複数の外部ケーブル（３０）を接続可能なコネクタ（２２）を備える、請求項９に記載のマウント。
【請求項１１】
前記密封空間が、前記外部ケーブル（３０）の１つまたは複数のケーブル部分の保管のための保管容積部分を画定する、請求項９または１０に記載のマウント。
【請求項１２】
前記監視カメラが、前記取り付け部（２０）の一部を形成する、請求項１から１１のいずれか一項に記載のマウント。
【請求項１３】
前記マウントが、前記方向Ｘが水平となるように取着されるべく適合されている、請求項１から１２のいずれか一項に記載のマウント。
【請求項１４】
監視カメラマウントを取着するための方法であって、
マウント面にベースを配設すること（６０１）と、
監視カメラのための端子が設けられた取り付け部を、偏心ヒンジを介して、前記取り付け部を前記ベースに対して動かすことにより前記ベースに着脱自在に結合すること（６０２）と、
前記端子へのアクセスを提供する開位置に前記取り付け部を配置すること（６０３）と、
前記端子に外部ケーブルを接続すること（６０４）と、
前記取り付け部を、前記偏心ヒンジを中心とする関節により、前記端子が前記取り付け部と前記ベースとによって形成された密封空間内に位置し、かつ前記偏心ヒンジが前記密封空間の外部に配置される閉位置に動かすこと（６０５）とを含む、方法。
【外国語明細書】
2014225869000001.pdf
2014225869000002.pdf
2014225869000003.pdf
2014225869000004.pdf